(57)【要約】【課題】  画素が粗いドットマトリクス表示素子において、エッジを目立たなくし、表示としてのギザギザ感を解消することができるヘッドアップディスプレイ用表示装置を提供すること。【解決手段】  蛍光表示管によりドットマトリクスの表示を行うＶＦＤ２の表示を、車両のフロントウインドシールド５で反射させ、乗員への表示を行うヘッドアップディスプレイ１において、ドットマトリクスを構成する多数の表示ドット２１は、中央部から周辺へ向かうに従い濃淡が薄くなるか又は明暗が暗くなるように、表示しない領域と同じ明るさの部分２１１を多数備えた。【選択図】        図１
2008107631.tif 000002
【特許請求の範囲】
【請求項１】
蛍光表示管によりドットマトリクスの表示を行う表示器の表示を、車両のフロントウインドシールドで反射させ、乗員への表示を行うヘッドアップディスプレイにおいて、
前記ドットマトリクスを構成する多数の表示ドットは、中央部から周辺へ向かうに従い濃淡が薄くなるか又は明暗が暗くなるように、表示しない領域と同じ明るさの部分を多数備えた、
ことを特徴とするヘッドアップディスプレイ用表示装置。
【請求項２】
請求項１に記載のヘッドアップディスプレイ用表示装置において、
表示ドットの表示しない領域と同じ明るさの部分は、所定の形状で大きさを規則的に変更したものを規則的に配置したものである、
ことを特徴とするヘッドアップディスプレイ用表示装置。
【発明の詳細な説明】
【技術分野】
【０００１】
本発明は、フロントウインドシールドに反射させる表示により、車両から様々な情報を乗員へ伝達するヘッドアップディスプレイ用表示装置の技術分野に属する。
【背景技術】
【０００２】
従来のヘッドアップディスプレイでは、ドットマトリクス表示タイプの表示器として蛍光表示管（ＶＦＤ）を用いているものがある（例えば、特許文献１参照。）。
【特許文献１】特開平８―２２７４９８号公報（第２−８頁、全図）
【発明の開示】
【発明が解決しようとする課題】
【０００３】
しかしながら、従来のヘッドアップディスプレイ用表示装置にあっては、ヘッドアップディスプレイとしての表示視認性を確保するため、表示器として高輝度表示が必要としていた。
これに対して蛍光表示管（ＶＦＤ）を高輝度にするためには、ドットパターンの高精細化が難しく、粗い画素となるため、表示品質が低下する。
すなわち、ドットパターンが粗くなるために、文字・絵柄等の斜め線や曲線のギザギザ感が気になるという問題が発生する。
【０００４】
これに対して、通常の高精細表示器において、表示としてのギザギザ感を解消するためには、ドット毎に輝度や色の濃淡を形成することで、アンチエイリアス処理を施すが、粗い画素の場合、アンチエイリアス処理をするために十分な画素がなくギザギザ感の解消が難しいものであった。
【０００５】
本発明は、上記問題点に着目してなされたもので、その目的とするところは、画素が粗いドットマトリクス表示素子において、エッジを目立たなくし、表示としてのギザギザ感を解消することができるヘッドアップディスプレイ用表示装置を提供することにある。
【課題を解決するための手段】
【０００６】
上記目的を達成するため、本発明では、蛍光表示管によりドットマトリクスの表示を行う表示器の表示を、車両のフロントウインドシールドで反射させ、乗員への表示を行うヘッドアップディスプレイにおいて、前記ドットマトリクスを構成する多数の表示ドットは、中央部から周辺へ向かうに従い濃淡が薄くなるか又は明暗が暗くなるように、表示しない領域と同じ明るさの部分を多数備えたことを特徴とする。
【発明の効果】
【０００７】
よって、本発明にあっては、画素が粗いドットマトリクス表示素子において、エッジを目立たなくし、表示としてのギザギザ感を解消することができる。
【発明を実施するための最良の形態】
【０００８】
以下、本発明のヘッドアップディスプレイ用表示装置を実現する実施の形態を、請求項１，２に係る発明に対応する実施例１と、請求項１，２に係る発明に対応する実施例２に基づいて説明する。
【実施例１】
【０００９】
まず、構成を説明する。
図１は実施例１のヘッドアップディスプレイ用表示装置を用いた車両用ヘッドアップディスプレイの説明図である。
実施例１における車両用のヘッドアップディスプレイ１は、ＶＦＤ２、ミラー３、制御部４を主要な構成としている。
ＶＦＤ２は、蛍光表示管の自発光によるドットマトリクス表示により、制御部４の制御により、設定されている画像やキャラクター等の表示を行う。例えば、１つの文字が横１１×縦１４の矩形のドットで構成され、それが複数配列したものを例として挙げておく。
【００１０】
ミラー３は、ＶＦＤ２からの光をフロントウインドシールド５の反射位置へ反射するものである。
制御部４は、ＶＦＤ２の表示に関する制御を行う。また、表示内容について、車両から情報を得て処理等を行う。
【００１１】
次に実施例１のＶＦＤの表示ドットにおけるドット形状の構成について説明する。
図２は実施例１のヘッドアップディスプレイ用表示装置のドット形状を示す説明図である。図３は図２のドット形状における濃淡の状態を示すグラフ図である。
実施例１では、矩形の表示ドットを横１１×縦１４のマトリクス状に配置し、数字「３」を表示する場合を例に説明する。
実施例１では、図２に示すように、１つの矩形の表示ドット２１において、中央部の周辺に、周辺に行くほど径が大きくなる円形で、表示しない領域と同じ明るさの部分２１１を複数設けるようにする。
【００１２】
この表示しない領域と同じ明るさの部分２１１の配置により、表示ドット２１の中央を通過する直線上の濃淡または明暗は、図３のように、両端に行くほど徐々に低くなる特性を持たせる構成となる。
実施例１では、中央に近い側から３段階で径が大きくなる、表示しない領域と同じ明るさの部分２１１を言わば中央周辺から放射状に設けているのである。
【００１３】
作用を説明する。
[エッジを目立たなくする作用]
図４はＶＦＤの表示例を示す説明図である。
従来のＶＦＤにおいて、高輝度を持たせるために粗い画素となった場合には、図４に示すように例えば数字「３」を表示するのに、横１１×縦１４の表示ドット２１を用いると、１つの表示ドット２１の角部が目立つものになる。また、斜め線や曲線部分のギザギザ感が目立つものになる。表示品質としては、十分なものではない。
【００１４】
図５は実施例１のヘッドアップディスプレイ用表示装置の表示例を示す説明図である。図６は図５の表示例を反転表示した図である。
実施例１では、数字「３」を比較のために、横１１×縦１４の表示ドット２１で表示している。図では、説明上、表示しない領域と同じ明るさの部分２１１は白く見せているが、実際には、ＶＦＤ２では、表示しない領域と同じ明るさの部分２１１は暗い無発光の部分となるため、図３で説明した端部において、低くした濃淡または明暗により、１つの表示ドット２１の角部や斜め線や曲線部分のギザギザ感が目立たなくなる（図５，図６参照）。
【００１５】
言い換えて説明すると、１つの表示ドット２１の角部や斜め線や曲線のエッジ部分に、濃淡や明暗のグラデーションが存在するために、目立たなくなる。
このように、１つの表示ドット２１の角部や斜め線や曲線部分のギザギザ感が目立たなくなることにより、表示品質が向上する。
よって、ヘッドアップディスプレイに用いられるＶＦＤ２に要求される高輝度の要求を満たすために、粗い画素となった表示でも、高い表示品質で表示を行うことができるようになる。
【００１６】
ヘッドアップディスプレイとしては、省スペースやコスト、表示内容からＶＦＤ２を選択した際に、十分な輝度と良好な表示品質で表示が行えるため、要求仕様に対応して見やすい表示を提供できることになる。
ここで、実施例１のヘッドアップディスプレイ用表示装置の作用について追加して説明する。
実施例１の表示ドット２１は、矩形であり、角部を有する。この角部におおきなＲを設けることによっても、１つの表示ドット２１の角部や斜め線や曲線のエッジ部分を目立たなくすることはある程度可能である。しかしながら、大きな角部を設けると、複数の表示ドット２１が接続して構成する文字等のすきまが目立つことになり、全体の表示品質としては低下する。そのため、実施例１の表示ドット２１のように、角部を充分に残しつつ、その表示ドット２１の内部で濃淡及び明暗を設けることが有利な点となるのである。
【００１７】
次に、効果を説明する。
実施例１のヘッドアップディスプレイ用表示装置にあっては、下記に列挙する効果を得ることができる。
【００１８】
(1)蛍光表示管によりドットマトリクスの表示を行うＶＦＤ２の表示を、車両のフロントウインドシールド５で反射させ、乗員への表示を行うヘッドアップディスプレイ１において、ドットマトリクスを構成する多数の表示ドット２１は、中央部から周辺へ向かうに従い濃淡が薄くなるか又は明暗が暗くなるように、表示しない領域と同じ明るさの部分２１１を多数備えたため、画素が粗いドットマトリクス表示素子において、エッジを目立たなくし、表示としてのギザギザ感を解消することができる。
【００１９】
(2)表示ドット２１の表示しない領域と同じ明るさの部分２１１は、所定の形状で大きさを規則的に変更したものを規則的に配置したものであるため、表示全体で一様なグラデーション効果を得ることができ、表示全体として、エッジを目立たなくし、表示としてのギザギザ感を解消することができる。
【００２０】
(3)表示ドット２１の表示しない領域と同じ明るさの部分２１１は、中央部から周辺に向かって、周辺に行くほど径が大きくなる複数の円形形状にしたため、中央から周辺に向かう濃淡または明暗のグラデーションを構成して、１つの表示ドット２２の角部や斜め線や曲線部分のギザギザ感が目立たなくなることにより、表示品質が向上できる。
【実施例２】
【００２１】
実施例２は、表示ドットに設ける表示しない領域と同じ明るさの部分を、環状にした例である。
図７は実施例２のヘッドアップディスプレイ用表示装置のドット形状を示す説明図である。
【００２２】
実施例２における表示ドット２２は、図７に示すように、中央部から周辺に向かって、同心円状に広がるように、周辺に行くほど径が大きくなる環状形状で、表示しない領域と同じ明るさの部分２２１を複数設けるようにする。
その他構成は、実施例１と同様であるので説明を省略する。
【００２３】
作用を説明する。
[エッジを目立たなくする作用]
図８は実施例２のヘッドアップディスプレイ用表示装置の表示例を示す説明図である。
実施例２では、環状の表示しない領域と同じ明るさの部分２２１によって、表示ドット２１の中央から周辺に行くに従って、濃淡または明暗を低くしている。
これにより１つの表示ドット２２の角部や斜め線や曲線部分のギザギザ感が目立たなくなる（図８参照）。
よって、１つの表示ドット２２の角部や斜め線や曲線部分のギザギザ感が目立たなくなることにより、表示品質が向上する。
【００２４】
次に、効果を説明する。
実施例２のヘッドアップディスプレイ用表示装置にあっては、実施例１の(1),(2)の効果に加え、下記の効果を得ることができる。
(4)表示ドット２１の表示しない領域と同じ明るさの部分２１１は、中央部から周辺に向かって、同心円状に広がるよう配置した環状形状で構成したため、中央から周辺に向かう濃淡または明暗のグラデーションを構成して、１つの表示ドット２２の角部や斜め線や曲線部分のギザギザ感が目立たなくなることにより、表示品質が向上できる。
その他作用効果は実施例１と同様であるので説明を省略する。
【００２５】
以上、本発明のヘッドアップディスプレイ用表示装置を実施例１、実施例２に基づき説明してきたが、具体的な構成については、これらの実施例に限られるものではなく、特許請求の範囲の各請求項に係る発明の要旨を逸脱しない限り、設計の変更や追加等は許容される。
【図面の簡単な説明】
【００２６】
【図１】実施例１のヘッドアップディスプレイ用表示装置を用いた車両用ヘッドアップディスプレイの説明図である。
【図２】実施例１のヘッドアップディスプレイ用表示装置のドット形状を示す説明図である。
【図３】図２のドット形状における濃淡の状態を示すグラフ図である。
【図４】ＶＦＤの表示例を示す説明図である。
【図５】実施例１のヘッドアップディスプレイ用表示装置の表示例を示す説明図である。
【図６】図５の表示例を反転表示した図である。
【図７】実施例２のヘッドアップディスプレイ用表示装置のドット形状を示す説明図である。
【図８】実施例２のヘッドアップディスプレイ用表示装置の表示例を示す説明図である。
【符号の説明】
【００２７】
１  ヘッドアップディスプレイ
２  ＶＦＤ
２１  表示ドット
２１１  表示しない領域と同じ明るさの部分
２２  表示ドット
２２１  表示しない領域と同じ明るさの部分
３  ミラー
４  制御部
５  フロントウインドシールド
【図１】
2008107631.tif 000003
【図２】
2008107631.tif 000004
【図３】
2008107631.tif 000005
【図４】
2008107631.tif 000006
【図５】
2008107631.tif 000007
【図６】
2008107631.tif 000008
【図７】
2008107631.tif 000009
【図８】
2008107631.tif 000010